(57)【要約】      （修正有）【課題】記録される所定の情報を複写不能とする複写防止情報記録用シート及び複写防止情報記録シートに関し、形成層を増やさずに堅牢性を確保し、複写防止対象情報の記録を目視で確認可能とすることを目的とする。【解決手段】基材１２上の複写防止対象情報が記録される領域に、赤外線透過インキを用いて印刷により複写防止層１３が形成され、複写防止層１３を含む基材１２上にレーザ吸収部材を有する樹脂のレーザ記録層１５が貼着層１４を介して形成されるものであり、少なくとも当該レーザ記録層１５における複写防止層１３上の領域にレーザ光を照射することにより複写防止対象情報が記録される構成とする。【選択図】図１
2019006061.tif 000002
【特許請求の範囲】
【請求項１】
基材と、
前記基材上の複写防止対象情報が記録される領域に、赤外線透過部材により形成される複写防止層と、
少なくとも前記複写防止層上に形成され、レーザ光吸収材を備える樹脂のレーザ記録層と、
を有することを特徴とする複写防止情報記録用シート。
【請求項２】
基材と、
前記基材上の所定の領域に赤外線透過部材により形成される複写防止層と、
レーザ光吸収材を備える樹脂により少なくとも前記複写防止層上に形成され、当該複写防止層上の領域にレーザ光により複写防止対象情報が記録されたレーザ記録層と、
を有することを特徴とする複写防止情報記録シート。
【発明の詳細な説明】
【技術分野】
【０００１】
本発明は、記録される所定の個別情報を複写不能とする複写防止情報記録用シート及び複写防止情報記録シートに関する。
【背景技術】
【０００２】
近年、例えばＩＣカード等の種々のカードが普及しており、これらカード上に偽造防止の対象とする所定の個別情報を記録することも行われている。このようなカードは、特に上記個別情報の部分に対して形成層を増やさずに堅牢性を確保させ、また、当該個別情報の記録時の記録確認を可能とすることが望まれる。
【０００３】
従来、複写防止の情報記録媒体として、例えば、基板上に複写防止対象の情報が記録される赤外線吸収コードパターン層を赤外線吸収インキで印刷により形成し、当該赤外線吸収コードパターン層上に印刷インキを用いて印刷される印刷層を形成する技術、及び、基板上に印刷インキを用いて印刷される印刷層を形成し、当該印刷層上に複写防止対象の情報が記録される赤外線吸収コードパターン層を赤外線吸収インキで印刷により形成する技術が知られている（特許文献１）。
【０００４】
また、別の技術として、シート状基材の表面に、レーザ記録層を設け、当該レーザ記録層の所定記録域上に隠蔽層を裏面に印刷した保護層を設けた構成として、レーザ記録層の所定記録域に、保護層と隠蔽層とを介してレーザ光を照射することにより、隠蔽情報を記録する情報記録媒体も知られている（特許文献２）。
【先行技術文献】
【特許文献】
【０００５】
【特許文献１】特許第３７３１８３１号公報
【特許文献２】特開２０１５１８９１５４号公報
【発明の概要】
【発明が解決しようとする課題】
【０００６】
しかしながら、上記特許文献１に記載されている技術では、赤外線吸収コードパターン層や印刷層は印刷インキを用いた印刷により形成されることから、摩擦により削り落ちたり、故意に削り取られたりすることが容易であって耐摩耗性に欠け、これを防止するために保護層を形成することは形成層の増加を招くという問題がある。また、特許文献２に記載されている技術では、レーザ記録層に対して隠蔽層を介してレーザ記録を行うことから、記録が確実になされているか否かを別途専用のリーダで確認しなければならず、非効率的であるという問題がある。
【０００７】
そこで、本発明は上記課題に鑑みなされたもので、形成層を増やさずに堅牢性を確保し、複写防止対象情報の記録を目視で確認可能とする複写防止情報記録用シート及び複写防止情報記録シートを提供することを目的とする。
【課題を解決するための手段】
【０００８】
上記課題を解決するために、請求項１の発明では、基材と、前記基材上の複写防止対象情報が記録される領域に、赤外線透過部材により形成される複写防止層と、少なくとも前記複写防止層上に形成され、レーザ光吸収材を備える樹脂のレーザ記録層と、を有する構成とする。
【０００９】
請求項２の発明では、基材と、前記基材上の所定の領域に赤外線透過部材により形成される複写防止層と、レーザ光吸収材を備える樹脂により少なくとも前記複写防止層上に形成され、当該複写防止層上の領域にレーザ光により複写防止対象情報が記録されたレーザ記録層と、を有する構成とする。
【発明の効果】
【００１０】
請求項１の発明によれば、基材上の複写防止対象情報が記録される領域に、赤外線透過部材により複写防止層が形成され、少なくとも当該複写防止層上に形成される樹脂のレーザ記録層であり、当該レーザ記録層がレーザ光吸収材を備える構成とすることにより、複写防止層がレーザ記録層の内側に位置され、レーザ記録層の複写防止対象情報の記録を目視で確認可能とさせることができ、レーザ記録層が樹脂より構成されて堅牢であることから、複写防止情報の記録後であっても磨滅や削り取りによる改ざんを防止することができるものである。
【００１１】
請求項２の発明によれば、基材上の所定の領域に赤外線透過部材により複写防止層が形成され、少なくとも複写防止層上にレーザ光吸収材を備える樹脂のレーザ記録層が形成されるものであり、当該レーザ記録層に対して当該複写防止層上の領域にレーザ光により複写防止対象情報が記録された構成とすることにより、レーザ記録層の複写防止対象情報の記録を目視で確認することができると共に、レーザ記録層が樹脂より構成されて堅牢であることから、少なくとも複写防止対象情報が形成された部分で形成層を増やさずに堅牢性を確保することができ、複写防止対象情報の磨滅や削り取りによる改ざんを防止することができるものである。
【図面の簡単な説明】
【００１２】
【図１】本願発明に係る複写防止情報記録用シートの構成図である。
【図２】図１の複写防止情報記録用シートに対する複写防止対象情報記録の説明図である。
【図３】図２の情報記録後における複写防止情報記録シートからの複写防止対象情報読み取りの説明図である。
【図４】本発明に係る他の複写防止情報記録シートの説明図である。
【図５】図４の複写防止情報記録カードの作製説明図（１）である。
【図６】図４の複写防止情報記録カードの作製説明図（２）である。
【発明を実施するための形態】
【００１３】
以下、本発明の実施形態を図により説明する。
図１に、本願発明に係る複写防止情報記録用シートの構成図を示す。図１（Ａ）、（Ｂ）において複写防止情報記録用シート１１は、例えば紙類や樹脂フィルム、樹脂板等の基材１２上の複写防止対象情報が記録される領域に、複写防止層１３が形成され、当該複写防止層１３を含む基材１２上にレーザ光吸収材を備える樹脂のレーザ記録層１５が貼着層１４を介して形成される。なお、図示しないが、基材１２の他方面（下面）側においても、同一構成の複写防止層１３、粘着層１４、レーザ記録層１５を設けてもよい。
【００１４】
上記複写防止層１３は、赤外線透過部材として従前より知られている例えば染料系の赤外線透過インキを用いて印刷により形成される。当該赤外線透過インキは、近赤外線８５０ｎｍ波長付近以上で高い透過率を示し、可視光線（４００〜７５０ｎｍ域）および紫外線（１９０〜４００ｎｍ域）を遮断する。ここでは、レーザ記録層１５に形成させる情報を黒色として、同色系の赤外線透過インキが使用される。
【００１５】
上記レーザ記録層１５は、レーザ光を通過させる好ましくは透明の樹脂にレーザ光吸収材を含ませた形態として構成される。当該樹脂としては、熱可塑性樹脂、例えば、ポリエチレンテレフタレート（ＰＥＴ）、ポリエチレンテレフタレートグリコール（ＰＥＴ−Ｇ）、ポリカーボネート（ＰＣ）、ポリ塩化ビニル（ＰＶＣ）などが使用される。また、上記レーザ光吸収材は、レーザ光を吸収して所定の色に変色するもので、例えば、黒色に変色するものとしてフタロシアニン系染料、シアニン系染料、金属錯体染料、ジインモニウム系染料が使用される。なお、複写防止層１３と同色系とすれば黒色以外の染料を使用してもよい。当該レーザ記録層１５の厚みは、例えば５０μｍ〜１００μｍとしている。
【００１６】
上記基材１２とレーザ記録層１５とを貼着する貼着層１４は、例えばホットメルトや紫外線硬化接着剤等の接着剤を用いることができる。また、貼着層１４は、基材１２とレーザ記録層１５とを例えば１００〜１５０°Ｃで熱融着させた層とすることもできる。なお、レーザ記録層１５は、本発明の機能を実現させるものとして複写防止層１３上に存在すればよい。
【００１７】
ここで、図２に、図１の複写防止情報記録用シートに対する複写防止対象情報記録の説明図を示す。図２（Ａ）において、記録する複写防止情報を２次元コードとして、当該コードパターンに沿って複写防止情報記録用シート１１における複写防止層１３上の領域に対してレーザ記録層１５側より当該レーザ記録層１５に焦点を合致させた記録用レーザ光２１を照射する。
【００１８】
記録用レーザ光２１が照射された部分では、レーザ記録層１５に含まれるレーザ光吸収部材（例えば黒色に変色する部材を含むものとして）がレーザ光を吸収して黒色に発色するものである。これによって、図２（Ｂ）、（Ｃ）に示すように、黒色の複写防止層１３上のレーザ記録層１５に２次元コードとしての複写防止対象情報３１が形成されて複写防止情報記録シート１１Ａとなる。当該複写防止対象情報３１は、レーザ記録層１５側より黒色の複写防止層１３を背景としていても記録形態が目視することができ、記録されているか否かを目視で確認することができるものである。
【００１９】
一方、レーザ記録層１５に記録された複写防止対象情報３１を複写しようとしても、上記複写防止対象情報３１と複写防止層１３とが同色系であることから当該複写防止対象情報３１を複写することができないものである。なお、堅牢性の確保上は特に必要はないが、レーザ記録層１５上に赤外線透過部材の保護層を形成させてもよい。この場合の保護層の形成は、レーザ記録層１５上へのレーザ記録の前後を問わない。この点は、図４においても同様である。
【００２０】
そこで、図３に、図２の情報記録後における複写防止情報記録シートからの複写防止対象情報読み取りの説明図を示す。図３において、複写防止情報記録シート１１Ａに対し、記録された２次元コードの複写防止対象情報３１が赤外線を用いたコードリーダ４１により読み取られる。
【００２１】
すなわち、複写防止層１３上で、レーザ記録された部分（黒化部分）はコードリーダ４１より出力される赤外線を吸収し、一方、レーザ記録されていない部分では赤外線が複写防止層１３を透過して基材１２上で反射し、これを受光することにより全体的に２次元コードの読取記録情報３１Ａとして認識されて解析されるものである。
【００２２】
次に、図４に、本発明の複写防止情報記録シートを適用した複写防止情報記録カードの説明図を示す。図４（Ａ）、（Ｂ）において、複写防止情報記録カード１１Ｂは、基材１２の一方面上を所望の模様、図形等の共通情報の印刷層５１としており、当該印刷層５１上若しくは基材１２上に赤外線透過インキで複写防止層１３が形成されている。
【００２３】
そして、基材１２（印刷層５１）上に貼着層１４を介在させてレーザ記録層１５が貼着されている。当該レーザ記録層１５であって、複写防止層１３上の領域に複写防止対象情報３１が形成され、他の領域に第１個別情報５２が形成されている。また、レーザ記録層１５上には、第２個別情報（図では顔写真）５３が形成されたフィルム転写層１６が設けられたものである。なお、図示しないが、基材１２の他方面（下面）側においても、同一構成の複写防止層１３、粘着層１４、レーザ記録層１５、フィルム転写層１６を設けてもよい。
【００２４】
上記のような複写防止情報記録カード１１Ｂは、複写防止層１３と複写防止対象情報３１との関係において、複写に対して当該複写防止対象情報３１は複写されずに偽造防止の役割をなす。また、第１個別情報５２と第２個別情報５３との上下２層の関係において、複写に対しては同一面上の情報としてなされることから、真贋判定を目視で容易に可能とすることから偽造防止の役割を果たすこともできるものである。
【００２５】
そこで、図５及び図６に、図４の複写防止情報記録カードの作製説明図を示す。まず、図５（Ａ）において、基材１２上に上記共通情報を印刷して印刷層５１を形成すると共に、複写防止対象情報３１を形成する領域上に複写防止層１３を印刷により形成する。なお、基材１２の一方面上の全面に印刷層５１を形成した場合には当該印刷層５１上に複写防止層１３が印刷されることとなり、一方、複写防止層１３を基材１２上に、他の領域全体を印刷層５１とする場合には、一度の印刷工程で行うことができ、また複写防止層１３及び印刷層５１を同一厚さとすれば平坦化が図られて後工程のレーザ記録層１５の形成に際して好適である。
【００２６】
続いて、図５（Ｂ）に示すように、上記基材１２の一方面の上記複写防止層１３及び印刷層５１の上面全体にホットメルト等の接着剤が塗布されて貼着層１４が形成される。そして、図５（Ｃ）に示すように、貼着層１４上にレーザ記録層１５が貼着されて、共通の複写防止記情報録用シート１１Ｃとなる。
【００２７】
上記複写防止情報記録用シート１１Ｃに対し、図６（Ａ）に示すように、例えばリボン方式で第２個別情報５３がカラー印刷されたフィルム転写層１６が用意され、当該複写防止情報記録用シート１１Ｃ上（複写防止層１３及び印刷層５１が形成された面）に上記フィルム転写層１６を熱融着により貼着する。
【００２８】
続いて、図６（Ｂ）に示すように、レーザ記録層１５の複写防止層１３の領域及びその他所望の領域に対して記録用レーザ光２１を順次照射することにより、図６（Ｃ）に示すように、複写防止層１３上に複写防止対象情報３１を形成し、その他の領域に所望の第１個別情報５２を形成することにより、複写防止情報記録用シート１１Ｃをベースに、個別毎に複写防止情報記録カード１１Ｂが作製されるものである。
【００２９】
なお、フィルム転写層１６の形成（図６（Ａ））とレーザ記録層１５への情報記録（図６（Ｃ））は形成順序を問わない。すなわち、レーザ記録層１５への情報記録は、フィルム転写層１６を介して行ってもよく、レーザ記録層１５に直接行ってもよいものである。
【００３０】
一方、上記第２個別情報５３を形成する場合、上記フィルム転写層１６に限らず、いわゆるウルトラグラフィック（ＵＧ）やインクジェットプリントの方式等によりレーザ記録層１５上に直接形成させることとしてもよい。
【００３１】
以上のように、レーザ記録層１５の複写防止対象情報３１の記録を目視で確認することができると共に、レーザ記録層１５が樹脂より構成されて堅牢であることから、少なくとも複写防止対象情報３１が形成された部分で形成層を増やさずに堅牢性を確保することができ、当該複写防止対象情報３１の磨滅や削り取りによる改ざんを防止することができるものである。
【００３２】
ところで、上記図２の複写防止情報記録シート１１Ａ及び図４の複写防止情報カード１１Ｂを、磁気記録層を有する磁気カードや、接触式ＩＣモジュールを備えた接触式ＩＣカード、アンテナとＩＣモジュール（ＩＣチップ）を備えた非接触式ＩＣカード、接触・非接触通信が可能なデュアルＩＣカード等に適用することができる。この場合、例えば、ＩＣモジュールが搭載される場合には基材１２上に形成されてレーザ記録層１５を当該ＩＣモジュールが透けて見えないような透過度とさせものであり、また、磁気記録層が搭載される場合にはレーザ記録層１５上に形成させることとなる。
【００３３】
また、レーザ記録層１５上へのレーザ記録後（記録確認後）に、赤外線透過インキにより所定の意匠を形成したフィルム転写層を熱融着して上記複写防止対象情報３１を目視できないようにすることもできるものである。
【産業上の利用可能性】
【００３４】
本発明の複写防止情報記録用シート及び複写防止情報記録シートは、複写防止用の個別情報が記録されたカードの製造、販売、使用の産業分野に利用可能である。
【符号の説明】
【００３５】
１１，１１Ｃ    複写防止情報記録用シート
１１Ａ          複写防止情報記録シート
１１Ｂ          複写防止情報記録カード
１２            基材
１３            複写防止層
１４            貼着層
１５            レーザ記録層
１６            フィルム転写層
２１            記録用レーザ光
３１            複写防止対象情報
３１Ａ          読取記録情報
４１            コードリーダ
５１            印刷層
５２            第１個別情報
５３            第２個別情報
【図１】
2019006061.tif 000003
【図２】
2019006061.tif 000004
【図３】
2019006061.tif 000005
【図４】
2019006061.tif 000006
【図５】
2019006061.tif 000007
【図６】
2019006061.tif 000008